(57)【要約】【課題】器具本体の薄型化が図れると共に輝度むらが生じない照明ができ、また、壁面からの出代も小さくすることが可能となる。【解決手段】扁平な薄箱状をした器具本体１内に、管中央部を中心として略一平面を渦巻き状に放電路が旋廻した発光管２よりなる平面ランプ３と、安定器４と、ランプソケット５とを平面ランプ３の面と略同一面上に位置するように配置した。【選択図】図１
2008204740.tif 000002
【特許請求の範囲】
【請求項１】
扁平な薄箱状をした器具本体内に、管中央部を中心として略一平面を渦巻き状に放電路が旋廻した発光管よりなる平面ランプと、安定器と、ランプソケットとを平面ランプの面と略同一面上に位置するように配置して成ることを特徴とする照明器具。
【請求項２】
扁平な薄箱状をした器具本体の一側部が壁面への取付け側となると共に、該壁面への取付け側の一側部と平面ランプを配置する平面ランプ配置部との間に安定器を配置して成ることを特徴とする請求項１記載の照明器具。
【発明の詳細な説明】
【技術分野】
【０００１】
本発明は、照明器具に関するものである。
【背景技術】
【０００２】
従来の照明器具にあっては、一般に図５に示すように、器具本体１’内に環状のランプ３’と安定器４’を上下方向に積み重ねて配置する構造となっており、このため器具本体１’の厚みが厚くなり、照明器具９’の薄型化ができないという問題がある。
【０００３】
また、環状のランプと安定器を同一平面上に並べて配置することが特許文献や特許文献２に示されているが、環状のランプは直径が大きいため、環状のランプと安定器を同一平面上に並べて配置すると器具本体の幅が大きくなり、また、壁面に取付けるタイプのものにおいては、壁面からの出代が大きくなってしまうという問題があり、更に、環状のランプの中央部は光を発光しない部分であるため輝度むらが生じるという問題があった。
【特許文献１】特開平１０−１１２２０６号公報
【特許文献２】特開２００５−３２７５７４号公報
【発明の開示】
【発明が解決しようとする課題】
【０００４】
本発明は上記の従来の問題点に鑑みて発明したものであって、器具本体の薄型化が図れると共に輝度むらが生じ難い照明ができ、また、壁面からの出代も小さくすることができる照明器具を提供することを課題とするものである。
【課題を解決するための手段】
【０００５】
上記課題を解決するために本発明に係る照明器具は、扁平な薄箱状をした器具本体１内に、管中央部を中心として略一平面を渦巻き状に放電路が旋廻した発光管２よりなる平面ランプ３と、安定器４と、ランプソケット５とを平面ランプ３の面と略同一面上に位置するように配置して成ることを特徴とするものである。
【０００６】
このように、扁平な薄箱状をした器具本体１内に平面ランプ３と、安定器４と、ランプソケット５とを平面ランプ３の面と略同一面上に位置するように配置するので、照明器具９の主体を構成する器具本体１の薄型化が図れ、また、平面ランプ３が管中央部を中心として略一平面を渦巻き状に放電路が旋廻した発光管２よりなるので、中央部を含めて面として発光する輝度むらのない照明ができ、また、器具本体１を壁面６に取付ける場合も環状のランプを内装する場合に比べ、器具本体１の壁面６からの出代を小さくすることが可能となる。
【０００７】
また、扁平な薄箱状をした器具本体１の一側部が壁面６への取付け側となると共に、該壁面６への取付け側の一側部と平面ランプ３を配置する平面ランプ配置部８との間に安定器４を配置することが好ましい。
【０００８】
このような構成とすることで、上記のように上下方向に薄型で且つ壁面６からの出代が小さな照明器具９とすることができるものでありながら、平面ランプ３と壁面６との間の距離を離すことができ、壁面６の仕様に関係なく天井面あるいは床面に直接光を照射して安定した明るさを確保することできる。
【発明の効果】
【０００９】
本発明にあっては、上記のように構成したので、照明器具の薄型化が可能で、輝度むらが生じにくく、しかも壁面からの出代も小さすることが可能となるという効果がある。
【発明を実施するための最良の形態】
【００１０】
以下、本発明を添付図面に示す実施形態に基いて説明する。
【００１１】
本発明の照明器具９は、内部に端子台２９、安定器４を含む点灯ブロック１２、ブロックカバー１４、ランプ支持ばね１６、ランプソケット５を備えた器具本体１と、透光パネル１７と、器具本体１を壁面６に取付けるための取付板３０と、器具本体１内に配置して取付ける平面ランプ３とにより構成してある。
【００１２】
照明器具９の主体を構成する器具本体１は図１、図２に示すように、上下方向に薄い扁平な薄箱状をしており、添付図面に示す実施形態においては、平面視四角形をした薄箱状となっている。
【００１３】
この平面視四角形をした薄箱状となった器具本体１の大部分は上面側又は下面側に開口した主収納部１３となっている。器具本体１の一側部の一側部は壁面６に取付けられる側となる取付け部７となり、この壁面６に取付けられる側となる取付け部７は側方に開口する凹所３８となっており、凹所３８と主収納部１３とは仕切壁部１０により仕切ってあり、仕切壁部１０の上端部には凹所３８と主収納部１３とは仕切壁部１０とを連通するスリット状の取付開口部１１が形成してある。
【００１４】
器具本体１の主収納部１３内の仕切壁部１０側に偏った箇所に安定器４を含む点灯ブロック１２が配置されてねじ４９により固着してある。
【００１５】
ブロックカバー１４は裏面側に開口した凹部となったブロック覆い部１５と、表面側が開口した凹部となった平面ランプ配置部８とを有しており、このブロックカバー１４を主収納部１３内に入れてブロック覆い部１５で点灯ブロック１２を覆った状態で、ブロックカバー１４を器具本体１にねじなどの固定手段５０により取付けてある。
【００１６】
ブロック覆い部１５と隣あって位置する平面ランプ配置部８には平面ランプ３を配置して取付ける。
【００１７】
ここで、器具本体１の主収納部１３は前述のように上面側又は下面側が開口しているが、この主収納部１３に設けた上面側又は下面側の開口は取付開口部１１の開口方向と直交方向となっていて、該主収納部１３の開口部がランプ交換用開口部２８となっている。
【００１８】
また、主収納部１３の内壁面には後述の透光パネル１７でランプ交換用開口部２８を遮蔽するように透光パネル１７を取付ける際に透光パネル１７の一部を支持するためのパネル支持部３９を突設している。
【００１９】
平面ランプ配置部８内の対向する一対のコーナ部分である角部にはそれぞれランプソケット５とランプ支持ばね１６の対がそれぞれ設けてある。
【００２０】
平面ランプ３は、図３に示すように、発光管２を、同一仮想平面において管の長手方向の中間部を中心として二重渦巻き状に放電路が旋廻するように形成すると共に、発光管２の両端部に口金１８を設けることで構成してあり、この平面ランプ３は、発光管２の渦巻きと正対する方向（上記仮想平面と正対する方向）から見ると、中央部を含めて全体として平面状に発光する状態を現出する平面状発光体である。したがって、環状の発光管を有するランプと比較して小形で且つ明るい。また上記二重渦巻の中心となる発光管２の長さ方向の中間部は他の部分よりも太く形成してあり、その一部が平面ランプ３の片面側に突出している。この突出部分２ａは発光管２の最冷点となるもので、これにより平面ランプ３の安定した発光を実現できる。
【００２１】
発光管２に設けた一対の口金１８は正面視で二重渦巻状の発光管２の中心を中心として点対称の位置に配置してある。各口金１８と該口金１８の内側に位置する発光管２の長さ方向の一部の間、及び発光管２の長さ方向の一部と同部の内側に位置する発光管２の長さ方向の一部の間には充填材１９を充填してあり、また一対の口金１８同士は平面ランプ３の一方の面側に配置したブリッジ２０により連結してあり、これら充填材１９及びブリッジ２０により二重渦巻状の平面ランプ３の変形が防止されている。また前記各口金１８と発光管２の間及び発光管２間に設けた充填材１９はブリッジ２０の平面ランプ３側の面上に設けてあって正面視でブリッジ２０と重複しているため、充填材１９及びブリッジ２０によって発光管２が塞がれる面積が小さく光のロスが少ない。
【００２２】
各口金１８の端面には平行な２本のランプピン２１を突設してあり、一方の口金１８に設けたランプピン２１の突出方向と他方の口金１８に設けたランプピン２１の突出方向は逆方向となっている。各口金１８の一対のランプピン２１は円形となった口金１８の端面の中央部から突出し、平面状に発光する平面ランプ３の面（即ち前記発光管２を配置した同一仮想面）に対して直交する方向に並設されている。
【００２３】
ランプソケット５は、ブロックカバー１４に対して固定されるソケット本体２２と、ソケット本体２２に形成した口金１８側に開口する円筒状の保持部２３の内側に回動可能に収納した断面略Ｃ字状の回動体２４が図４（ａ）の状態から図４（ｂ）の状態にできるように回動可能に収納されている。回動体２４の周方向の端部には保持部２３の前側の壁部に形成した切欠２５を介して突出する操作レバー２６を設けている。また回動体２４の内面には一対の接触子（図示せず）を固設している。
【００２４】
平面ランプ３は主収納部１３のランプ交換用開口部２８から平面ランプ配置部８内に平面ランプ３を入れ、平面ランプ３の口金１８に設けたランプピン２１をランプソケット５に電気的・機械的に接続すると共に発光管２又は口金１８をランプ支持ばね１６に支持させることで取付ける。
【００２５】
各ランプソケット５に平面ランプ３を接続するには、図４（ａ）のようにＣ字状の回動体２４を上方に向けて開口させた状態で、平面ランプ３を各口金１８の一対のランプピン２１を回動体２４内に挿入し（この場合、同時にランプ支持ばね１６で仮支持する）、その後、操作レバー２６を操作して回動体２４を回動して、各回動体２４に設けた一対の接触子で一対のランプピン２１を保持すると共に該一対の接触子と一対のランプピン２１を電気的に接続する。なお各ランプソケット５と平面ランプ３の接続の解除は上記と逆の操作をする。
【００２６】
上記のように、平面ランプ３をランプ交換用開口部２８から平面ランプ配置部８内に挿入する挿入方向と同じ方向に移動するだけで、各口金１８の一対のランプピン２１をランプソケット５の回動体２４の内側に挿入できるので、平面ランプ３と各ランプソケット５の接続が容易になる。また各口金１８の一対のランプピン２１は平面ランプ３と平行な面に対して直交する方向に並設してあるので、正面視で各口金１８の幅寸法を短くできて平面ランプ３の正面視の面積を小さくでき、また図１においてＬで示す各ランプソケット５の幅寸法も短くでき、平面ランプ配置部８の挿入方向から見たランプソケット５の面積を小さくできる。またこの場合、発光管２内において各口金１８の一対のランプピン２１間に設けられるフィラメント（図示せず）は平面ランプ３と平行な面に対して直交するように配置されることとなるので、発光管２を二重渦巻状に曲げたものであるにもかかわらず、正面視でフィラメントと該フィラメントの両側の発光管２の内面との間に形成されるクリアランスを一定とすることができる。また本例では発光管２に設けた一対の口金１８は点対称の位置に配置してあるので、平面ランプ３を各ランプソケット５に接続した状態では、平面ランプ３と各ランプソケット５よりなる正面形状が略矩形状となって、該略矩形状の対向する隅部であるデッドスペースに各口金１８及び各ランプソケット５を配置でき、照明器具９の主体を構成する器具本体１のランプ交換用開口部２８と正対する方向から見た面積をより小さくできる。
【００２７】
扁平な薄箱状をした器具本体１の一側部に設けた凹所３８内には端子台２９を配置して取付けてある。
【００２８】
上記のように、薄箱状をした器具本体１内には、端子台２９、安定器４を含む点灯ブロック１２、一対のランプ支持ばね１６、一対のランプソケット５、平面ランプ３を配置して取付けるのであるが、この場合、図２に示すように、端子台２９、安定器４を含む点灯ブロック１２、一対のランプ支持ばね１６、一対のランプソケット５、これらランプ支持ばね１６、ランプソケット５に接続支持する平面ランプ３は上下方向に重ならないように横方向に並べて配置して取付けてあり、（具体的には上記各部材が平面ランプ３の面（平面状の発光面）と略同一面上に位置するように横方向に並べて配置してある）、したがって、器具本体１を薄型化することが可能となる。しかも、このように、平面ランプ３、安定器４を含む点灯ブロック１２、一対のランプ支持ばね１６、一対のランプソケット５、端子台２９がいずれも略同一平面上に位置するように横方向に並べて配置することで薄型化が図れるようにしたものであるにもかかわらず、平面ランプ３を使用しているので、環状のランプに比べて小さくでき、その分だけ小型化が図れることになる。また、本発明において、器具本体１内への上記各内装部材の配置は、器具本体１の一側部に壁面６への取付け部７と平面ランプ３を配置する平面ランプ配置部８との間に安定器４を配置するような位置関係となるように配置する。
【００２９】
上記のように器具本体１内に、端子台２９、安定器４を含む点灯ブロック１２、一対のランプ支持ばね１６、一対のランプソケット５、平面ランプ３を内装した状態で、器具本体１を取付板３０を用いて壁面６に取付けるようになっている。
【００３０】
取付板３０は縦片よりなる壁固定板部３１の上端から側方に横片よりなる器具固定板部３２を一体に連出して構成してある。
【００３１】
器具本体１の壁面６への取付けにあたっては、取付板３０の壁固定板部３１を壁面６の任意の位置に当接した状態で木ねじのような固着具３３により壁面６に固着する。その後、取付板３０の器具固定板部３２を、扁平な薄箱状をした器具本体１の一側部の取付け部７に設けた側方開口から入れてスリット状の取付開口部１１に挿通してブロックカバー１４のブロック覆い部１５の上に重ねると共に、器具本体１の一側部の取付け部７を壁面６に当接する。この状態で、ねじ具のような固定具３４により器具固定板部３２とブロック覆い部１５とを固定する。これにより、上下方向に薄くなった扁平な薄箱状の器具本体１が取付板３０を介して壁面６に取付けられることになる。
【００３２】
この場合、取付板３０の器具固定板部３２を、扁平な薄箱状をした器具本体１の一側部の取付け部７に設けた側方開口から入れてスリット状の取付開口部１１に挿通してブロックカバー１４のブロック覆い部１５の上に重ねることで、横片よりなる板状をした器具固定板部３２により薄箱状をした器具本体１が安定して仮支持された状態となり、固定具３４による固定作業が容易に行えることになる。固定具３４の固着作業は器具本体１の主収納部１３の開口部から手を入れて作業を行う。
【００３３】
上記のように器具本体１が取付板３０を介して壁面６に取付けた後、透光パネル１７を主収納部１３の開口部（ランプ交換用開口部２８）内に入れ、器具固定板部３２、パネル支持部３９に当接した状態でつまみねじのような取付け手段３５により透光パネル１７を器具固定板部３２に着脱自在に取付けることで、透光パネル１７でランプ交換用開口部２８を遮蔽する。
【００３４】
ここで、透光パネル１７は器具本体１のランプ交換用開口部２８の開口端部より低い位置において取付けられ、透光パネル１７がランプ交換用開口部２８よりも外方（実施形態では上方）に突出しないようになっており、しかも、透光パネル１７のスリット状の取付開口部１１と対向する辺の長さが取付開口部１１の長さよりも長く、更に、透光パネル１７の取付開口部１１と対向する辺側の上面端部に上方に突出する摘み部３６を突設してあるので、透光パネル１７をランプ交換用開口部２８内に入れても透光パネル１７がスリット状の取付開口部１１内に挿通しないようになっており、この結果、摘み部３６側が取付開口部１１側に位置するように透光パネル１７をランプ交換用開口部２８内に入れるだけで、取付開口部１１に透光パネル１７が挿通しないようにして位置決めした状態で前記透光パネル１７を取付け手段３５により簡単に取付けることができる。掴み部３６は取付開口部１１の上縁部よりも上方に突出するもので、ランプ交換の際は、取付け手段３５による取付けを解除した後、掴み部３６を指で掴んで透光パネル１７を取り外すことができる。
【００３５】
上記のようにして壁面６に照明器具９を取付けるものであり、平面ランプ３を点灯すると、透光パネル１７を通過して上方に照射され、天井面を照らすことができる。
【００３６】
本発明においては、上記のように、扁平な薄箱状をした器具本体１内に平面ランプ３と、安定器４と、ランプソケット５とを平面ランプ３の面と略同一面上に位置するように配置するので、照明器具９の薄型化が図れる。しかも、器具本体１内に配置する平面ランプ３が管中央部を中心として略一平面を渦巻き状に放電路が旋廻した発光管２よりなるので、平面ランプ３は中央部を含めて面として発光する輝度むらのない照明ができることになると共に、環状のランプに比べて径が小さくてよいので、平面ランプ３を配置するための平面ランプ配置部８の面積が小さくてすみ、上記のように照明器具９を壁面６に取付ける場合も環状のランプを内装する場合に比べて照明器具９（器具本体１）の壁面６からの出代を小さくすることが可能となる。しかも、このように上下方向に薄型で且つ壁面６からの出代が小さな照明器具９とすることができるものでありながら、壁面６への取付け部７と平面ランプ３を配置する平面ランプ配置部８との間に安定器４を配置してあるので、平面ランプ３と壁面６との間の距離をできるだけ離すことができ、壁面６の仕様に関係なく天井面に直接光を照射して安定した明るさを確保することができるようになっている。
【００３７】
添付図面に示す実施形態においては、器具本体１の主収納部１３に上方に開口するランプ交換用開口部２８設けて天井を照明するようにした例で説明したが、ランプ交換用開口部２８が下方に開口するものであってもよく、この場合は、床面を直接光で照射できる。
【００３８】
また、主収納部１３の上下にそれぞれ上方に開口するランプ交換用開口部２８と下方に開口するランプ交換用開口部２８を設けて、天井及び床に直接光を照射するようにしてもよい。
【図面の簡単な説明】
【００３９】
【図１】本発明の一部破断した平面図である。
【図２】同上の側断面図である。
【図３】同上に用いる平面ランプを示し、（ａ）は平面図であり、（ｂ）は側面図である。
【図４】同上のランプソケットを示し、（ａ）はランプソケットにＣ字状の回動体を上方に向けて開口させてランプピンを差し込んでいる状態を示す斜視図であり、（ｂ）はＣ字状の回動体を回動してＣ字状の開口を閉じた状態の斜視図である。
【図５】従来例の断面図である。
【符号の説明】
【００４０】
１  器具本体
２  発光管
３  平面ランプ
４  安定器
５  ランプソケット
６  壁
８  平面ランプ配置部
【図１】
2008204740.tif 000003
【図２】
2008204740.tif 000004
【図３】
2008204740.tif 000005
【図４】
2008204740.tif 000006
【図５】
2008204740.tif 000007